(57)【要約】【課題】シリンダ状のヘッドまたはロータリー状のヘッドを利用する磁気テープオーディオ機器の再生時に発生するオーディオエラーを復元し、エラー復元時に発生するハーモニック成分を著しく減らして、消費者が安らかなサウンドを鑑賞できるようにする。【解決手段】サンプルについてのエラーサンプルの発生有無を指示するエラーフラグに基づいて、エラーサンプル数をカウンティングする過程と、第１サンプルと第２サンプルとの間で少なくとも一つ以上のエラーサンプルをカウントする場合、第１サンプル値に第１加重値を適用した値、及び第２サンプル値に第２加重値を適用した値を足した第１値と、第１または第２サンプルと連続線上に位置した第２値とを計算して、第１、第２値の平均値を、前記エラーが発生した位置のサンプル値として設定する過程と、を含む。【選択図】図７
2005339776.tif 000002
【特許請求の範囲】
【請求項１】
正常サンプルとエラーサンプルがそれぞれ複数ずつ交互に発生する信号再生機器で、前記正常サンプル間のエラーサンプルを補間するオーディオエラーの復元方法において、
（ａ）前記サンプルについてのエラーサンプルの発生有無を指示するエラーフラグに基づいて、エラーサンプル個数をカウンティングする過程と、
（ｂ）前記過程で、第１正常サンプルと第２正常サンプルとの間で少なくとも一つ以上のエラーサンプルをカウントする場合、前記第１正常サンプル値に第１加重値を適用した値と、前記第２正常サンプル値に第２加重値を適用した値とを足した第１値と、前記第１または第２正常サンプルと連続線上に位置した第２値とを計算して、前記第１、第２値の平均値を、前記エラーが発生した位置のサンプル値として設定する過程と、を含むオーディオエラーの復元方法。
【請求項２】
前記第１、第２加重値は、それぞれ前記第１、第２正常サンプルの間の距離によって調整されることを特徴とする請求項１に記載のオーディオエラーの復元方法。
【請求項３】
前記第１正常サンプルとそれ以前のサンプルとの連続線上に位置した値は、１正常サンプル値または２＊第２正常サンプル値から前記第１、第２正常サンプルの以前または以後のサンプル値を引いた値であることを特徴とする請求項１に記載のオーディオエラーの復元方法。
【請求項４】
前記第１加重値は、１と０との間の値であることを特徴とする請求項１に記載のオーディオエラーの復元方法。
【請求項５】
前記第２加重値は、１と０との間の値であることを特徴とする請求項１に記載のオーディオエラーの復元方法。
【請求項６】
前記第１正常サンプルと第２正常サンプルとの間で二つのサンプルがエラーと判別される場合、前記第１正常サンプル値に第１加重値を適用した値、及び第２正常サンプル値に第１加重値より少ない第２加重値を適用した値を足した第１値と、前記第１正常サンプルとそれ以前のサンプルの連続線上に位置した第２値とを足した平均値を第１補間サンプル値として設定し、前記第１正常サンプル値に第３加重値を適用した値、及び第２正常サンプル値に前記第３加重値より大きい第４加重値を適用した値を足した第１値と、前記第２正常サンプルとそれ以後のサンプルの連続線上に位置した第２値とを足した平均値を第２補間サンプル値として設定する過程であることを特徴とする請求項１に記載のオーディオエラーの復元方法。
【請求項７】
前記第１サンプルとそれ以前のサンプルの連続線上に位置した値は、２＊第１サンプル値からそれ以前のサンプル値を引いた値であることを特徴とする請求項６に記載のオーディオエラーの復元方法。
【請求項８】
前記第２サンプルとそれ以後のサンプルの連続線上に位置した値は、２＊第２サンプル値からそれ以後のサンプル値を引いた値であることを特徴とする請求項６に記載のオーディオエラーの復元方法。
【請求項９】
オーディオシステムによって再生されたオーディオ信号でエラーを復元する方法において、
複数のサンプルを有する信号を受信する過程と、
第１正常サンプルと第２正常サンプルとの間にエラーサンプルの個数を設定する過程と、
エラーサンプルの個数が一つと同じになる場合、第１エラーサンプルを決定するために、この第１正常サンプル値と第２正常サンプル値とを平均する過程と、
第１正常サンプルと第２正常サンプルとの間の距離について第１エラーサンプルの線型補間値を決定し、前記第１エラーサンプルに該当する第１正常サンプルの以前の正常サンプルと、前記第１正常サンプルの連続線上に位置した値を決定し、エラーサンプルの個数が少なくとも２つ以上と同じである時、第１エラーサンプルを決定するために、前記連続線上に位置した値と前記線型補間値とを平均する過程と、を含むことを特徴とするオーディオエラーの復元方法。
【請求項１０】
オーディオシステムにより再生されたオーディオ信号でエラー復元する方法において、
少なくとも第１正常サンプル、第１エラーサンプル、第２エラーサンプル及び第２正常サンプルを有するオーディオ信号を受信する過程と、
第１エラーサンプルから第１及び第２正常サンプルの間の各距離によって、第１正常サンプルと第２正常サンプルとの加重平均を行うことで、第１エラーサンプルの第１線型補間値を決定する過程と、
前記第１エラーサンプルに該当する位置で、第１正常サンプルと第１正常サンプルの以前の正常サンプルとの間に第１ラインを外挿し、第１線型外挿値となる位置で第１ラインの該当値を決定する過程と、
前記第１線型外挿値と前記第１線型補間値との間の値を前記第１エラーサンプルの最終補間値として決定する過程と、を含むことを特徴とするオーディオエラーの復元方法。
【請求項１１】
前記第２エラーサンプルから第１及び第２正常サンプルの間の各距離によって、第１正常サンプルと第２正常サンプルとの加重平均を行うことで、第２エラーサンプルの第２線型補間値を決定する過程と、
前記第２エラーサンプルに該当する位置で、第２正常サンプルと第２正常サンプルに連続した正常サンプルとの間に第２ラインを外挿し、第２線型外挿値となる位置で第２ラインの該当値を決定する過程と、
前記第２線型外挿値と前記第２線型補間値との間の値を前記第２エラーサンプルの最終補間値として決定する過程と、を更に含むことを特徴とする請求項１０に記載のオーディオエラーの復元方法。
【請求項１２】
前記オーディオ信号は、前記第１エラーサンプルと前記第２エラーサンプルとの間に配置された第３エラーサンプルを更に含むことを特徴とし、
前記第３エラーサンプルから第１及び第２正常サンプルの間の各距離によって、第１正常サンプルと第２正常サンプルとの加重平均を行うことで、第３エラーサンプルの第３線型補間値を決定する過程と、
前記第１ライン及び第２ラインが、それぞれ前記第３エラーサンプルに該当する位置によって、２／３線型外挿値を決定する過程と、
第３エラーサンプルの最終補間値を決定するために、第３線型補間値と２／３線型外挿値とを平均する過程と、を更に含むことを特徴とする請求項１１に記載のオーディオエラーの復元方法。
【請求項１３】
オーディオシステムにより再生されたオーディオ信号でエラー復元する方法において、
複数の正常サンプルと少なくとも一つ以上のエラーサンプルとを含むオーディオ信号を受信する過程と、
少なくとも一つ以上のエラーサンプルの位置と数を決定する過程と、
エラーサンプルを取り囲む二つの周辺の正常サンプル値の第１平均を、少なくとも一つのエラーサンプルの個数が１と決定される時、エラーサンプルの最終補間値として決定する過程と、
前記エラーサンプルの線型補間値と、前記エラーサンプルの線型外挿値との間の第２平均を、少なくとも一つのエラーサンプルの数が１より大きいと決定される時、エラーサンプルの最終補間値として決定する過程と、を含み、
前記線型補間値は、前記エラーサンプルから各距離による前記周辺の正常サンプルの加重平均を備え、そして、前記線型外挿値は、前記エラーサンプルに該当する位置で、前記エラーサンプルに最も隣接した一対の連続的な正常サンプルの間のラインを外挿することで決定され、そして、該当値を前記線型外挿値として決定することを特徴とするオーディオエラーの復元方法。
【請求項１４】
前記複数の正常サンプルと、前記少なくとも一つ以上のエラーサンプルは、前記オーディオシステムのロータリーヘッドによって、オーディオ信号のオーディオデータの再生に基づいて周期的に繰り返されることを特徴とする請求項１３に記載のオーディオエラーの復元方法。
【請求項１５】
前記エラーサンプルに最も隣接した一対の連続的の正常サンプルが存在しなければ、前記線型補間値を前記エラーサンプルの最終補間値に選択することを特徴とする請求項１３に記載のオーディオエラーの復元方法。
【請求項１６】
前記複数の正常サンプルと、前記少なくとも一つ以上のエラーサンプルは、サンプルＡ、サンプルＢ、サンプルＣ、サンプルＤ、サンプルＥ、サンプルＦ、及びサンプルＧを備えることを特徴とする請求項１５に記載のオーディオエラーの復元方法。
【請求項１７】
前記サンプルＡ、サンプルＣ、及びサンプルＤがエラーであり、サンプルＥの値がサンプルＦの値と同じであれば、サンプルＣの最終補間値は、２／３＊Ｂ＋１／３＊Ｅによって決定され、サンプルＤの最終補間値は、１／３＊Ｂ＋２／３＊Ｅによって決定されることを特徴とする請求項１６に記載のオーディオエラーの復元方法。
【請求項１８】
前記サンプルＣ及びサンプルＤがエラーであり、サンプルＥの値がサンプルＦの値と同じでなければ、サンプルＣの最終補間値は、［（２／３＊Ｂ＋１／３＊Ｅ）＋（２＊Ｂ−Ａ）］／２によって決定され、サンプルＤの最終補間値は、［（１／３＊Ｂ＋２／３＊Ｅ）＋（２＊Ｅ−Ｆ）］／２によって決定されることを特徴とする請求項１６に記載のオーディオエラーの復元方法。
【請求項１９】
前記サンプルＡ、サンプルＣ、サンプルＤ、及びサンプルＥがエラーであり、サンプルＦの値がサンプルＧの値と同じであれば、サンプルＣの最終補間値は、３／４＊Ｂ＋１／４＊Ｆによって決定され、サンプルＤの最終補間値は、Ｂ／２＋Ｆ／２によって決定され、サンプルＥの最終補間値は、１／４＊Ｂ＋３／４＊Ｆによって決定されることを特徴とする請求項１６に記載のオーディオエラーの復元方法。
【請求項２０】
前記サンプルＣ、サンプルＤ、及びサンプルＥがエラーであり、サンプルＦの値がサンプルＧの値と同じでなければ、サンプルＣの最終補間値は、［（３／４＊Ｂ＋１／４＊Ｅ）＋（２＊Ｂ−Ａ）］／２によって決定され、サンプルＤの最終補間値は、［（Ｂ／２＋Ｆ／２）＋（２＊Ｃ−Ｂ＋２＊Ｅ−Ｆ）］／３によって決定され、サンプルＥの最終補間値は、［（１／４＊Ｂ＋３／４＊Ｆ）＋（２＊Ｆ−Ｇ）］／２によって決定されることを特徴とする請求項１６に記載のオーディオエラーの復元方法。
【請求項２１】
正常サンプルとエラーサンプルとが三つずつ交互に発生する信号再生機器で、サンプル（ｂ）とそれ以前のサンプル（ａ）、サンプル（ｆ）とそれ以後のサンプル（ｇ）との間の三つのエラーサンプル（ｃ、ｄ、ｅ）を補間するオーディオエラーの復元方法において、
（ａ）前記サンプルについてのエラーサンプルの発生有無を指示するエラーフラグに基づいてエラーサンプル個数をカウンティングする過程と、
（ｂ）前記第１サンプル（ｂ）と第２サンプル（ｆ）との間で三つのサンプルがエラーと判別される場合、エラーサンプル（ｃ）は、｛（３／４＊ｂ＋１／４＊ｆ）＋（２＊ｂ−ａ）｝／２と、エラーサンプル（ｄ）は、｛（１／２＊ｂ＋１／２＊ｆ）｝＋（２＊ｃ−ｂ）＋（２＊ｅ−ｆ）｝／３と、エラーサンプル（ｅ）は、｛（１／４＊ｂ＋３／４＊ｆ）＋（２＊ｆ−ｇ）｝／２と設定する過程と、を含むことを特徴とするオーディオエラーの復元方法。
【請求項２２】
オーディオエラーの復元装置において、
オーディオ再生時に、サンプルのエラー有無を指示するエラーフラグに基づいてエラーサンプル個数をカウンティングするカウンタ部と、
前記カウンタ部で、少なくとも一つ以上のエラーサンプル数をカウントすれば、第１正常サンプル値に第１加重値を適用した値、及び第２正常サンプル値に第２加重値を適用した値を足した第１値と、前記第１正常サンプルまたは第２正常サンプルと連続線上に位置した第２値とを計算し、前記第１、第２値の平均値を、前記エラーが発生した位置のサンプル値として設定する補間部と、を含むことを特徴とするオーディオエラーの復元装置。
【請求項２３】
オーディオエラーサンプルを補間させるデジタルオーディオ信号処理システムにおいて、
デッキから再生されるオーディオデータを復号化し、その復号されたオーディオデータをエラー訂正コードによりエラー訂正するデコーダと、
前記デコーダにより復号されたオーディオデータを保存し、少なくとも一つ以上の該当サンプルでエラーが存在しているか否かを指示する少なくとも一つ以上のエラーフラグを保存する保存部と、
前記保存部で保存された前記少なくとも一つ以上のエラーフラグによって、正常サンプルの間のエラーサンプル値を線型補間した値と、正常サンプルの連続線上に位置した値との平均値で補間する信号処理部と、を含むことを特徴とするデジタルオーディオ信号処理システム。
【請求項２４】
前記信号処理部は、
前記メモリで保存されたエラーフラグに基づいてエラーサンプル個数をカウンティングするカウンタ部と、
前記カウンタ部で、少なくとも一つ以上のエラーサンプル数をカウントすれば、線型補間した値とサンプルの連続線上に位置した値との平均値で、前記サンプル間の少なくとも一つ以上のエラーサンプルを補間する補間部と、を含むことを特徴とする請求項２３に記載のデジタルオーディオ信号処理システム。
【請求項２５】
オーディオシステムで信号にエラーを復元するための信号処理器において、
二つの選択された非エラーサンプルの間のエラーサンプル数を決定するエラーカウンタと、
前記二つの選択された非エラーサンプルに取り囲まれたサンプルがエラーと決定される時、前記二つの選択された非エラーサンプルの値によって前記二つの選択された非エラーサンプルの間のエラーサンプルを補間し、前記二つの選択された非エラーサンプルを取り囲んだサンプルが非エラーと決定される時、前記二つの選択された非エラーサンプルを取り囲んだサンプルの値と、前記二つの選択された非エラーサンプルの値とによって、前記二つの選択された非エラーサンプルの間のエラーサンプルを補間する補間器と、を備えるオーディオ信号処理器。
【請求項２６】
オーディオシステムにより再生されたオーディオ信号でエラーを復元する信号処理器において、
複数の正常サンプルと少なくとも一つのエラーサンプルとを含むオーディオ信号を受信し、前記少なくとも一つのエラーサンプルの位置と数とを決定するエラーカウンタと、
二つの周辺のサンプル値の平均を、前記少なくとも一つのエラーサンプルの個数が１と決定される時のエラーサンプルの最終補間値として決定し、前記エラーサンプルの線型補間値と前記エラーサンプルの線型外挿値との平均を、少なくとも一つのエラーサンプルの数が１より大きいと決定される時の最終補間値として決定する補間器と、を含み、
前記線型補間値は、前記エラーサンプルから各距離による前記周辺の正常サンプルの加重平均を備え、そして、前記線型外挿値は、前記エラーサンプルに該当する位置で、前記エラーサンプルに最も隣接した一対の連続的な正常サンプルの間のラインを外挿することで決定され、そして、該当値を前記線型外挿値として決定することを特徴とする信号処理器。
【請求項２７】
前記複数の正常サンプルと、前記少なくとも一つ以上のエラーサンプルは、前記オーディオシステムのロータリーヘッドにより、オーディオ信号のオーディオデータの再生に基づいて周期的に繰り返されることを特徴とする請求項２６に記載の信号処理器。
【請求項２８】
前記少なくとも一つのエラーサンプルの個数によって所定個数のサンプルを保存し、前記補間器が前記少なくとも一つのエラーサンプルを補間した後、前記所定個数のサンプルをシフトするバッファを更に含むことを特徴とする請求項２６に記載の信号処理器。
【発明の詳細な説明】
【技術分野】
【０００１】
本発明は、オーディオエラー復元システムに係り、特に、シリンダヘッダーの構造を有する磁気テープオーディオ機器の再生時に、エラー復元方法、装置及びデジタルオーディオ信号処理システムに関する。
【背景技術】
【０００２】
通常的に、デジタルオーディオ信号を記録／再生する装置であって、ＣＤ（Ｃｏｍｐａｃｔ ｄｉｓｃ）、ＭＤ（Ｍｉｎｉ Ｄｉｓｋ）、ＤＡＴ（Ｄｉｓｋ Ａｕｄｉｏ Ｔａｐｅ Ｒｅｃｏｄｅｒ）等のオーディオ専用装置だけでなく、デジタルＶＣＲ（Ｖｉｄｅｏ Ｃａｓｓｅｔｔｅ Ｒｅｃｏｄｅｒ）等の録画データと関連したデジタルオーディオ信号を記録／再生する装置も知られている。それらのデジタルオーディオ信号記録／再生装置は、記録／再生過程で発生するエラーを避け得ないため、エラー訂正符号としてエラー対策を図る。特に、シリンダ状またはロータリー状のヘッダーと記録媒体（テープ）とを利用するオーディオ再生機器で表れるエラーは、正常サンプルとエラーサンプルとがそれぞれ２つまたは３つずつ交互に表れる。従来は、エラーの影響を低減させるために、時間的に隣接した正しいサンプルを使用して、エラーサンプルに対する補間値を決定する。
【０００３】
図１は、一般的に、正常サンプルの次に２つのエラーサンプルが発生する場合に使用される線型補間方法を示す概念図である。
【０００４】
通常的に、使用されている線型補間式は、数式（１）の通りに表し得る。
ｙ（ｎ＋α）＝（１−α）・ｙ（ｎ）＋α・ｙ（ｎ＋１）・・・・・・（１）
ここで、αは、時間（ｎ）と時間（ｎ＋１）との間に信号（ｙ）を補間するために、所望の０と１との間の数字である。
【０００５】
図１を見れば、数式１を参照して、第一エラーサンプルｃは、正常サンプルａで加値２／３を取った値と、正常サンプルｂで加重値１／３を取った値とを足した値に設定し、第二のエラーサンプルｄは、正常サンプルａで加重値１／３を取った値と、正常サンプルｂで加重値２／３を取った値とを足した値に設定する。すなわち、第１エラーサンプル“ｃ”の補間値を得るための第１プロセッサーは、Ｐｒｏｃｅｓｓ１＝２／３ａ＋１／３ｂになり、第２エラーサンプル“ｄ”の補間値を得るための第２プロセッサーは、Ｐｒｏｃｅｓｓ２＝１／３ａ＋２／３ｂになる。図２は、線型補間方法を適用した結果を説明する。
【０００６】
しかし、従来の線型補間方法は、図３に示されたグラフのように、多量の高周波成分を発生させる。図３を見れば、図２のように、一般線型補間を利用して、正常サンプルの間で２つ以上のエラーサンプルを補間すれば、本来信号１０００Ｈｚに対して多くの高周波成分７０００Ｈｚ、９０００Ｈｚ、１５０００Ｈｚが発生する。その時、高周波成分は、本来信号に比べて約３０ｄＢほど低いレベルとして表れる。すなわち、一つのサンプルがエラーである場合には、それほど問題にならずに従来の補間方法を使用できるが、二つ以上のサンプルがエラーである場合には、図２及び図３に示されたように、本来信号１０００Ｈｚに対して多くの高周波成分７０００Ｈｚ、９０００Ｈｚ、１５０００Ｈｚが発生して、聴取感を著しく減少させるという問題点がある。
【特許文献１】特開昭９−１６１４１７号公報
【特許文献２】米国特許第５，４９１，５９０号明細書
【特許文献３】米国特許第４，９５３，１６８号明細書
【発明の開示】
【発明が解決しようとする課題】
【０００７】
本発明が達成しようとする技術的課題は、正常サンプルとエラーサンプルとがそれぞれ複数ずつ交互に発生する再生機器で、既存の線型補間法で推定した値と、サンプルの連続線上に位置した値とを利用して、サンプル間のエラーサンプルを補間するオーディオサンプル補間方法及びその装置を提供するところにある。
【０００８】
本発明が達成しようとする他の技術的課題は、前記オーディオサンプル補間方法を適用したオーディオ信号処理システムを提供するところにある。
【課題を解決するための手段】
【０００９】
前記技術的課題を解決するために、本発明は、正常サンプルとエラーサンプルとがそれぞれ複数ずつ交互に発生する再生機器で、前記正常サンプル間のエラーサンプルを補間する方法において、（ａ）前記サンプルについてのエラーサンプルの発生有無を指示するエラーフラグに基づいて、エラーサンプル個数をカウンティングする過程と、（ｂ）前記過程で、第１サンプルと第２サンプルとの間で、少なくとも一つ以上のエラーサンプルをカウントする場合、前記第１サンプル値に第１加重値を適用した値、及び前記第２サンプル値に第２加重値を適用した値を足した第１値と、前記第１または第２サンプルと連続線上に位置した第２値とを計算して、前記第１、第２値の平均値を、前記エラーが発生した位置のサンプル値として設定する過程と、を含むオーディオサンプル補間方法を提供する。
【００１０】
前記他の技術的課題を解決するために、本発明は、エラーサンプルを補間させるオーディオエラーの復元装置において、サンプルのエラー有無を指示するエラーフラグに基づいて、エラーサンプル数をカウンティングするカウンタ部と、前記カウンタ部で、少なくとも一つ以上のエラーサンプル数をカウントすれば、第１サンプル値に第１加重値を適用した値、及び第２サンプル値に第２加重値を適用した値を足した第１値と、前記第１サンプルまたは第２サンプルと連続線上に位置した第２値とを計算し、前記第１、第２値の平均値を、前記エラーが発生した位置のサンプル値に設定する補間部と、を含むことを特徴とする。
【００１１】
前記更に他の技術的課題を解決するために、本発明は、エラーサンプルを補間させるデジタルオーディオ信号処理装置において、デッキから再生されるオーディオデータを復号化し、その復号されたオーディオデータをエラー訂正コードによりエラー訂正するデコーダと、前記デコーダにより復号されたオーディオデータ、及び各サンプルのエラー有無を指示するエラーフラグを保存する保存部と、前記保存部で保存されたエラーフラグによって、正常サンプルの間のエラーサンプル値を線型補間した値と、入力サンプルの連続線上に位置した値との平均値で補間する信号処理部と、を含むことを特徴とする。
【発明の効果】
【００１２】
本発明によれば、シリンダ状のヘッドまたはロータリー状のヘッドを利用する再生機器（カムコーダ、ビデオカセットプレイヤー等）で発生するオーディオエラーを復元し、エラー復元時に発生するハーモニック成分を著しく減らすため、消費者は安らかなサウンドを鑑賞できる。
【発明を実施するための最良の形態】
【００１３】
以下、添付された図面を参照して、本発明の好ましい実施形態を説明する。
図４は、本発明に係るオーディオエラーの復元方法を適用したオーディオ記録／再生システムを示すブロック図である。
まず、オーディオ記録／再生システムで、メカデッキ（ｍｅｃｈａ ｄｅｃｋ）は、回転ドラムに１８０度間隔で離れて装着される一対の磁気ヘッドと、回転ドラムに巻き込まれた磁気テープと、磁気テープを所定のパスによって走行させたテープ走行機器とを含む。
【００１４】
磁気テープ上には、一対の磁気ヘッドによって交互に信号が記録され、傾斜したトラックが順次に形成される。５２５ライン／６０フィールド方式の磁気テープは、１フレーム分のビデオ信号及びオーディオ信号が１０個のトラックに記録される。そのようなトラックに対し、０−９のトラック番号が付着される。各トラックは、ビデオデータが記録される領域と、サブコードが記録される領域とを有する。オーディオ信号は、１サンプルが１６ビットで、４８ｋＨｚ、４４.１ｋＨｚまたは３２ｋＨｚのサンプリング周波数でデジタル化される。１０個のトラックの前半の５個のトラックに２チャンネルのデジタルオーディオ信号の一方のチャンネルの信号が記録され、その後半の５個のトラックに、その他のチャンネルの信号が記録される。１フレームに含まれるオーディオサンプルは、１６２０個（Ｄ０−Ｄ１６１９）である。
【００１５】
メッカデッキ部４１０から再生される信号は、再生アンプ部４２０を経てイコライザ４３０に供給される。イコライザ４３０の出力信号は、復調部４４０及びＰＬＬ部（ｐｈａｓｅ−ｌｏｃｋｅｄ ｌｏｏｐ）４５４に供給される。復調部４４０は、例えば、２４ビットの情報語を２５ビットの符号語に変換するものが使用されている。復調部４４０の出力信号が同期検出部４５０に供給される。記録データは、シンクブロックから構成される。シンクブロックは、先頭にシンクを有しており、シンクの次にＩＤが付加され、ＩＤの次にデータ（ビデオデータ、オーディオデータまたはサブコード）が位置し、その次にシンクブロック単位で付加されるパリティ成分が位置する。ＰＬＬ部４５４は、再生信号と同期したクロックを発生し、そのクロックを復調部４４０及び同期検出部４５０に供給する。
【００１６】
同期検出部４５０の出力信号は、ＥＣＣ（ｅｒｒｏｒ ｃｏｒｒｅｃｔｉｏｎ ｃｏｄｅ）デコーダ４６０に供給される。ＥＣＣデコーダ４６０は、エラー訂正符号を復号して再生信号のエラーサンプルを訂正する。エラー訂正符号としては、例えば、積（ｐｒｏｄｕｃｔ）符号が使用される。本発明では、ビデオデータ及びサブコードに対する信号処理は省略し、ＥＣＣデコーダ４６０の後端からオーディオデータのみを扱う。しかし、本発明の概念は、ビデオデータ及び／またはサブコードと共に使用できる。
【００１７】
ＥＣＣデコーダ４６０により復号されたデータ及び各サンプルのエラー有無を指示するエラーフラグがメモリ４７０に保存される。ディシャッフリング部４８０は、メモリ４７０と結合され、記録時にシャッフリングされたデータを逆にディシャッフリングする。
【００１８】
その時、ＥＣＣデコーダ４６０によりエラーを訂正しても、シリンダヘッダーのうち、一つに異物がある場合、再生時に多くのエラーが発生する。例えば、ヘッダー１及びヘッダー２があると仮定する。その時、ヘッダー１に異物がある場合、トラック０、トラック２、トラック４が読み取れない。それは、トラック０のデータサンプルＤ０、Ｄ５、Ｄ１０・・・Ｄ１６１５だけでなく、トラック２のデータサンプルＤ１、Ｄ６、Ｄ１１・・・Ｄ１６１６、トラック４のデータサンプルＤ２、Ｄ７、Ｄ１２・・・Ｄ１６１７）もエラーとして見なされる。
【００１９】
その時、再生時にディシャッフリングされたデータを見れば、３つのエラーデータサンプルと２つの正常データサンプルとが繰り返されるか、または２つのエラーデータサンプルと３つの正常データサンプルとが繰り返される形態が周期的に発生する。
【００２０】
信号処理部４９０は、ディシャッフリング部４８０でディシャッフリングされたデータを、メモリ４７０から入力されるエラーフラグによって、後述するように、正常サンプルごとに周期的に発生するエラーサンプルを、それ以前及びそれ以後の正常サンプルを利用して新たに補間する。
【００２１】
Ｄ／Ａ部４９２は、信号処理部４９０から出力されるオーディオサンプルをアナログ信号または再生された音声信号として再生する。
【００２２】
図５は、本発明に係る図４の信号処理部４９０の詳細図である。
まず、１６ビットの１サンプルａのオーディオデータが入力される。各サンプルのエラー有無を表すエラーフラグが供給される。エラーカウンタ５１０は、エラーフラグをカウントする。
【００２３】
二つのエラーサンプルが発生すれば、バッファ部５３０は、再生時に交互に発生する正常サンプルａ、ｂ、ｅ、ｆと、エラーサンプルｃ、ｄとを保存する。他の実施形態として、３つのエラーサンプルが発生すれば、バッファ部５３０は、再生時に交互に発生する正常サンプルａ及びｂ、ｆ及びｇの間の３つのエラーサンプルｃ、ｄ、ｅを保存できる。正常サンプルとエラーサンプルは、マグネチックヘッドのうち、一つに存在する異物に基づくオーディオデータ中で周期的に繰り返され得る。
【００２４】
補間部５２０は、エラーカウンタ５１０が２つのエラーサンプルでカウントすれば、バッファ部５３０に保存されるサンプルａ、ｂ、ｅ、ｆを利用して、エラーサンプル値ｃ、ｄについての補間値を求める。そのエラーサンプル値ｃ、ｄについての補間値は、既存の線型補間法で推定した値と、正常サンプルの連続線上に位置した値とを利用して設定する。他の実施形態として、補間部５２０は、エラーカウンタ５１０が３つのエラーサンプルでカウントすれば、バッファ部５３０に保存されるサンプルａ、ｂ、ｆ、ｇを利用して、エラーサンプル値ｃ、ｄ、ｅについての補間値を求める。そのエラーサンプル値ｃ、ｄ、ｅは、既存の線型補間法で推定した値と、正常サンプルの連続線上に位置した値とを利用して設定される。
【００２５】
図６は、補間部５２０で、正常サンプル間のエラーサンプルを補間する概念図である。
図６を参照すれば、第１補間サンプルｃ用の処理式は、｛（２／３＊ｂ＋１／３＊ｅ）＋（２＊ｂ−ａ）｝／２であり、第２補間サンプルｄ用の処理式は、｛（１／３＊ｂ＋２／３＊ｅ）＋（２＊ｅ−ｆ）｝／２である。
【００２６】
図７は、信号処理部５２０で正常サンプルの間に２つのエラーサンプルを補間する概念図である。
図７を参照すれば、サンプルｂとサンプルｅとの間で補間される二つのエラーサンプルｃ、ｄを設定する。すなわち、第１補間サンプルｐ１は、サンプル値ｂに加重値２／３を適用した値（２／３＊ｂ）、及びサンプル値ｅに加重値１／３を適用した値（１／３＊ｅ）の平均値と、サンプルｂ及びそれ以前のサンプルａの連続線上に位置した値（２ｂ−ａ）の平均値とを足した値として設定される。第２補間サンプルｐ２は、サンプル値ｂに加重値１／３を適用した値（１／３＊ｂ）、及びサンプル値ｅに加重値２／３を適用した値（２／３＊ｅ）の平均値と、サンプルｅ及びそれ以後のサンプルｆの連続線上に位置した値（２ｅ−ｆ）の平均値とを足した値として設定される。
【００２７】
図８は、図４の信号処理部４９０で、正常サンプルの間に３つのエラーサンプルを補間する概念図である。
図８を参照すれば、サンプルｂとサンプルｆとの間で補間される３つのエラーサンプルｃ、ｄ、ｅを設定する。すなわち、第１補間サンプルｃは、｛（３／４＊ｂ＋１／４＊ｆ）＋（２＊ｂ−ａ）｝／２であり、第２補間サンプルｄは、｛（１／２＊ｂ＋１／２＊ｆ）｝＋（２＊ｃ−ｄ）＋（２＊ｅ−ｆ）｝／３と、第３補間サンプルｅは、｛（１／４＊ｂ＋３／４＊ｆ）＋（２＊ｆ−ｇ）｝／２と設定される。
【００２８】
図９Ａ及び図９Ｂは、図４の信号処理部４９０のオーディオサンプル補間方法を示すフローチャートである。図９Ａで、ａ及びｂは、図９Ｂで説明された動作が行われる地点として参照される。
【００２９】
まず、補間部５２０は、エラーフラグＥＦ＿ｂを使用して、エラーフラグＥＦ＿ｂがエラーであるかを判別する（９１２過程）。エラーフラグＥＦ＿ｂが、サンプルｂでエラーと判別されれば（例えば、ＥＦ＿ｂ＝１）、エラーカウントをチェックする。その時、エラーカウントが０、１または２であれば、エラーカウントを増加させ、エラーカウントが３であれば、エラーカウント値として３を設定する（９１４過程）。同時に、エラーサンプルｂ値をそのままホールディングして、エラーサンプルｃ値として設定する（９１６過程）。
【００３０】
それに対し、エラーフラグＥＦ＿ｂが、サンプルｂでエラーではないと判別されれば（例えば、ＥＦ＿ｂ＝０）、エラーカウントをチェックする（９２２過程）。その時、エラーカウント値によって次のような補間方法を行う。
【００３１】
１）エラーカウントが“０”であれば、補間を行わない。
２）エラーカウントが“１”であれば、既存の線型補間式、例えば、ｂ／２＋ｄ／２を適用して、サンプルｂとサンプルｄとの間のエラーサンプルｃに補間される。その時、エラーカウントは“０”となる（９２６過程）。
３）エラーカウントが“２”であれば、サンプルａについてのエラーフラグの有無、サンプルｅ及びサンプルｆの値によって別個の補間式を適用する（９３２過程）。すなわち、サンプルａについてのエラーフラグＥＦ＿ａが“１”であり（例えば、サンプルａがエラーである）、サンプルｅ及びサンプルｆ値が互いに同じであれば、エラーサンプルｃ、ｄは、補間式（２／３＊ｂ＋１／３＊ｅと１／３＊ｂ＋２／３＊ｅ）を利用して設定される（９３４過程）。それに対し、サンプルａについてのエラーフラグＥＦ＿ａが“０”であり（例えば、サンプルａが正常である）、サンプルｅ及びサンプルｆ値が互いに同じでなければ、エラーサンプルｃ、ｄは、本発明に係る新たな補間式を利用して設定される（９３６過程）。すなわち、エラーサンプルｃは、｛（２／３＊ｂ＋１／３＊ｅ）＋（２＊ｂ−ａ）｝／２と、エラーサンプルｄは、｛（１／３＊ｂ＋２／３＊ｅ）＋（２＊ｅ−ｆ）／２と設定する。
４）エラーカウントが“３”であれば、サンプルａについてのエラーフラグの有無、サンプルｆ及びサンプルｇの値によって別個の補間式を適用する（９４２過程）。すなわち、サンプルａについてのエラーフラグＥＦ＿ａが“１”であり（サンプルａがエラーである）、サンプルｆ及びサンプルｇ値が同じであれば、エラーサンプルｃ、ｄ、ｅは、それぞれ補間式（３／４＊ｂ＋１／４＊ｆ、１／２＊ｂ＋１／２＊ｆ、１／４＊ｂ＋３／４＊ｆ）を利用して設定される（９４４過程）。それに対し、サンプルａについてのエラーフラグが“０”であり、サンプルｆ及びサンプルｇ値が同じでなければ、エラーサンプルｃ、ｄ、ｅは、本発明に係る新たな補間式を利用して設定される（９４６過程）。すなわち、エラーサンプルｃは、｛（３／４＊ｂ＋１／４＊ｆ）＋（２＊ｂ−ａ）｝／２と、エラーサンプルｄは、｛（１／２＊ｂ＋１／２＊ｆ）｝＋（２＊ｃ−ｂ）＋（２＊ｅ−ｆ）｝／３と、エラーサンプルｅは、｛（１／４＊ｂ＋３／４＊ｆ）＋（２＊ｆ−ｇ）｝／２と設定する。
【００３２】
次いで、補間後に、エラーカウントは“０”となる（９２６過程）。
次いで、オーディオデータで、更に他のグループのサンプルを調べるためにバッファシフト過程を行う（９４０過程）。
次いで、サンプルｂ、ｃ、ｄ、ｅ、ｆについてのバッファシフトを行った後に、新たなサンプルａを補間部に入力する（９５０過程）。次いで、残っているオーディオデータのために、９１２−９５０過程を繰り返す。たとえ、本実施形態を記述するために使用されたバッファサイズが、エラーカウントによって６個または７個のサンプルを含むとしても、本発明によって他のバッファサイズを使用できる。
【００３３】
図１０は、本発明に係る新たな補間方式を適用したオーディオサンプル復元グラフである。
従来のオーディオサンプル復元グラフと比較すれば、本発明の補間方式が従来の補間方式より正常サンプルの間のエラーサンプルをスムーズに補間する。
【００３４】
図１１は、本発明に係る新たな補間方式を適用した時の周波数特性を示すグラフである。図１１を見れば、従来の周波数特性に比べて、ハーモニック成分が大幅に減ることが分かる。例えば、既存補間方式に比べて、１５ｄＢ〜２０ｄＢのハーモニック成分が減る。
【００３５】
本発明は、前記した実施形態に限定されず、本発明の思想内で当業者による変形が可能であることは言うまでも無い。
さらに、本発明は、コンピュータ可読記録媒体にコンピュータ可読コードとして具現することが可能である。コンピュータ可読記録媒体は、コンピュータシステムによって読み取られ得るデータが保存されるあらゆる種類の記録装置を含む。コンピュータ可読記録媒体の例としては、ＲＯＭ（ｒｅａｄ−ｏｎｌｙ ｍｅｍｏｒｙ）、ＲＡＭ（ｒａｎｄｏｍ−ａｃｃｅｓｓ ｍｅｍｏｒｙ）、ＣＤ−ＲＯＭ、磁気テープ、ハードディスク、フロッピー（登録商標）ディスク、フラッシュメモリ、光データ保存装置などがああり、また、キャリアウェーブ（例えば、インターネットを介した伝送）の形態で具現されるものも含む。また、コンピュータ可読記録媒体は、ネットワークに連結されたコンピュータシステムに分散されて、分散方式でコンピュータ可読コードとして保存及び実行されうる。
【産業上の利用可能性】
【００３６】
本発明は、シリンダヘッダーの構造を有する磁気テープオーディオ機器の再生時に、エラー復元方法、装置及びデジタルオーディオ信号処理システムに関わり、一般的に、カムコーダ、ビデオカセットプレイヤーに好適に適用できる。
【図面の簡単な説明】
【００３７】
【図１】一般的な線型補間方法を示す概念図である。
【図２】図１の線型補間方法を適用した結果のグラフである。
【図３】図１の線型補間方法の周波数特性を示すグラフである。
【図４】本発明に係るオーディオエラーの復元方法を適用したオーディオ記録／再生システムを示すブロック図である。
【図５】図４の信号処理部の詳細図である。
【図６】図４の補間部で、正常サンプル間のエラーサンプルを補間する概念図である。
【図７】図４の信号処理部で、正常サンプル間に２つのエラーサンプルを補間する概念図である。
【図８】信号処理部で、正常サンプル間に３つのエラーサンプルを補間する概念図である。
【図９Ａ】図４の信号処理部のオーディオサンプルの補間方法を示すフローチャートである。
【図９Ｂ】図４の信号処理部のオーディオサンプルの補間方法を示すフローチャートである。
【図１０】本発明に係る新たな補間方式を適用したオーディオサンプル復元グラフである。
【図１１】本発明に係る新たな補間方式を適用した時の周波数特性を示すグラフである。
【符号の説明】
【００３８】
４１０  メッカデッキ部
４２０  再生アンプ部
４３０  イコライザ
４４０  復調部
４５０  同期検出部
４５４  ＰＬＬ部
４６０  ＥＣＣデコーダ
４７０  メモリ
４８０  ディシャッフリング部
４９０  信号処理部
４９２  Ｄ／Ａ部
【図１】
2005339776.tif 000003
【図２】
2005339776.tif 000004
【図３】
2005339776.tif 000005
【図４】
2005339776.tif 000006
【図５】
2005339776.tif 000007
【図６】
2005339776.tif 000008
【図７】
2005339776.tif 000009
【図８】
2005339776.tif 000010
【図９Ａ】
2005339776.tif 000011
【図９Ｂ】
2005339776.tif 000012
【図１０】
2005339776.tif 000013
【図１１】
2005339776.tif 000014